(57)【要約】【課題】皮膚老化症状に対する新たなアプローチによる皮膚老化改善剤として有効な成分を探索することを目的とし、そのための新たなスクリーニング方法を確立する。【解決手段】皮下脂肪細胞中のケメリンの活性を指標として、皮膚老化改善剤をスクリーニングする。【選択図】図４
2020003352.tif 000002
【特許請求の範囲】
【請求項１】
皮下脂肪細胞中のケメリンの活性を指標として、皮膚老化改善剤をスクリーニングする方法。
【請求項２】
前記ケメリンの活性が、前記ケメリンを構成するタンパク質をコードする遺伝子又は前記タンパク質の発現量であり、被験物質を添加した皮下脂肪細胞における前記発現量が、被験物質を添加しなかった皮下脂肪細胞における発現量と比較して小さい場合に、前記被験物質は皮膚老化改善作用を有すると判定する、請求項１に記載の方法。
【請求項３】
請求項１又は２に記載のスクリーニング方法を行う工程、及び前記工程により選択された物質を含有させる工程を含む、組成物の設計方法。
【請求項４】
前記組成物が皮膚老化改善用である、請求項３に記載の設計方法。
【請求項５】
前記組成物が飲食品又は皮膚外用剤である、請求項３又は４に記載の設計方法。
【発明の詳細な説明】
【技術分野】
【０００１】
本発明は、皮膚老化改善剤をスクリーニングする方法に関する。
【背景技術】
【０００２】
シワやタルミ等の皮膚老化症状は、見た目の印象に大きな影響を与えるものであるため、その改善への関心は高い。近年、皮膚老化症状の改善を目的とする、抗老化剤、抗シワ剤、保湿剤等の開発が盛んに行われている。それらは主に、コラーゲンやエラスチンといった肌の張りや弾力を保つ働きをする物質を産生する真皮の線維芽細胞をターゲットとするものや（特許文献１〜２等）、表皮基底細胞をターゲットとするものであった（例えば特許文献３等）。
【先行技術文献】
【特許文献】
【０００３】
【特許文献１】特開２０１５−１３１７９７号公報
【特許文献２】特開２０１５−１７４８５７号公報
【特許文献３】特開２００３−１７１２２５号公報
【発明の概要】
【発明が解決しようとする課題】
【０００４】
従来の皮膚の抗老化剤では、ある程度の抗老化効果は認められるものの、十分に満足のいく効果が得られているとは言い難い。また、皮膚老化症状の生じるメカニズムのさらなる解明も求められている。
本発明は、かかる状況に鑑み、皮膚老化症状に対する新たなアプローチによる皮膚老化改善剤として有効な成分を探索することを目的とし、そのための新たなスクリーニング方法を確立することを課題とする。
【課題を解決するための手段】
【０００５】
本発明者は上記課題を解決するために鋭意研究を行った結果、アディポサイトカインのひとつであるケメリンに着目し、皮下脂肪細胞から分泌されるケメリンが真皮線維芽細胞等に影響を与えることを見出した。そして、ケメリンを不活性化することにより皮膚老化症状を改善することができるという知見を得て、本発明を完成するに至った。
【０００６】
すなわち、本発明は以下の通りである。
［１］皮下脂肪細胞中のケメリンの活性を指標として、皮膚老化改善剤をスクリーニングする方法。
［２］前記ケメリンの活性が、前記ケメリンを構成するタンパク質をコードする遺伝子又は前記タンパク質の発現量であり、被験物質を添加した皮下脂肪細胞における前記発現量が、被験物質を添加しなかった細胞における発現量と比較して小さい場合に、前記被験物質は皮膚老化改善作用を有すると判定する、［１］に記載の方法。
［３］［１］又は［２］に記載のスクリーニング方法を行う工程、及び前記工程により選択された物質を含有させる工程を含む、組成物の設計方法。
［４］前記組成物が皮膚老化改善用である、［３］に記載の設計方法。
［５］前記組成物が飲食品又は皮膚外用剤である、［３］又は［４］に記載の設計方法。
【発明の効果】
【０００７】
本発明により、飲食品や皮膚外用剤に含有させるのに好適な、皮膚老化改善剤として有効な成分を探索できるスクリーニング方法が提供される。
【図面の簡単な説明】
【０００８】
【図１】ケメリンを添加したヒト線維芽細胞におけるバーシカン遺伝子の相対発現量を表すグラフ。
【図２】ケメリンを添加したヒト腱細胞におけるミメカン遺伝子の相対発現量を表すグラフ。
【図３】ケメリンを添加したヒト表皮角化細胞におけるヒアルロン酸合成酵素（ＨＡＳ３）遺伝子の相対発現量を表すグラフ。
【図４】クルミポリフェノールエキスを添加した皮下脂肪細胞におけるケメリン遺伝子の相対発現量を表すグラフ。
【発明を実施するための形態】
【０００９】
本発明のスクリーニングする方法は、皮下脂肪細胞中のケメリンの活性を指標とすることを特徴とする。
ケメリンは、皮下脂肪細胞から分泌されるアディポサイトカインの一種であり、加齢や肥満、高脂血症等により分泌が増えることが知られている。本発明者らは、ケメリンの発現量が増加するとその活性が増強して、皮膚老化症状の発生に関与する現象、例えば、ヒアルロン酸量、バーシカン量、皮膚支持構造（ＲＣ構造）等の減少が引き起こされることを見出した。より具体的には、ケメリンの活性化は、ヒアルロン酸又はバーシカンを合成する酵素が減少してヒアルロン酸量又はバーシカン量を減少させたり、皮下組織下部の皮下支持帯の網目構造を構成するタンパク質の発現量が減少して該網目構造が疎になったりすることを引き起こす。それらによって、真皮においてシワやタルミ等の皮膚老化症状が発現する。かかる皮膚老化フローにおいて、皮下脂肪細胞におけるケメリンの活性を減弱化することによって、皮膚老化症状が引き起こされるのを抑制し改善することができる。言い換えると、皮下脂肪細胞におけるケメリンの活性を抑制させるような物質は、皮膚老化改善剤となり得る。
【００１０】
ヒアルロン酸は、皮膚内部で貯水の役割を担っており、一般に加齢によってヒアルロン酸合成酵素が減少したり、ヒアルロン酸分解酵素が増加したりして、ヒアルロン酸量の減少が引き起こされる。ヒアルロン酸量が減少すると、肌の保水力が乏しくなり、乾燥やシワ、肌理の粗さなどが生じ、肌は老化した状態に至る。
バーシカンは、真皮が作られるときに線維芽細胞が働くための足場となるプロテオグリカンで、加齢に伴い減少し、皮膚老化や弾性力低下を招くことが知られている（フレグランスジャーナル44(1): 88 -88, 2016参照）。後述の実施例に示されるように、ケメリン
が活性化すると、バーシカン量の減少が引き起こされ、これはバーシカン産生に関与する酵素が減少したりバーシカン分解酵素が増加したりすることに因ると考えられる。
皮膚支持構造（ＲＣ構造）は、皮下組織下部の皮下支持帯（retinacula cutis；ＲＣ）と呼ばれる網目構造をいい、主にＩ型コラーゲンとミメカンという糖タンパク質とで構成される。該構造が疎になると皮膚深部の弾力性が低下し、タルミが引き起こされる（フレグランスジャーナル 44(2), 23-27, 2016参照）。後述の実施例に示されるように、ケメ
リンが活性化すると、ＲＣ構造を構成するタンパク質の発現量が減少し、ＲＣ構造の弱化（網目構造の疎化）が生じる。
【００１１】
本発明のスクリーニング方法において指標となるケメリンの活性とは、通常はケメリンの発現量である。ここで、発現量とは、ケメリンを構成するタンパク質をコードする遺伝子のｍＲＮＡの転写量と、該タンパク質の翻訳量との何れかを指すものとする。
【００１２】
本発明のスクリーニング方法の好ましい態様においては、被験物質を添加した皮下脂肪細胞におけるケメリンの発現量が、被験物質を添加しなかった皮下脂肪細胞におけるケメリンの発現量（コントロール）と比較して小さい場合に、前記被験物質は皮膚老化改善作
用を有すると判定される。
【００１３】
ケメリンをコードする遺伝子の発現量は、任意の方法を用いて測定することができる。例えば、当該遺伝子の配列に特異的に結合する配列を有するＤＮＡ断片をプライマーとして用いてＰＣＲを行い、定量的な検出を行う。なお、ケメリンをコードするヒトの遺伝子配列は公開されており、当業者は適宜プライマーを設計してＰＣＲに供することができる。
また、例えば、ケメリンタンパク質の細胞膜上の量を、常法で、例えば抗体を用いる免疫学的手法等で測定して、遺伝子の発現量としてもよい。
【００１４】
本発明のスクリーニング方法に用いる細胞としては、皮下脂肪細胞を用いる。
細胞の培養の条件としては、通常の培養条件の他、本発明のスクリーニング方法の実行を妨げない、具体的にケメリンの発現量の測定を妨げない培養条件であれば、特段の限定なく適用することができる。
【００１５】
本発明のスクリーニング方法が対象とする被験物質は、純物質、動植物由来の抽出物、またはそれらの混合物等のいずれであってもよい。
動植物由来の抽出物は、動物又は植物由来の抽出物自体のみならず、抽出物の画分、精製した画分、抽出物又は画分、精製物の溶媒除去物の総称を意味するものとし、植物由来の抽出物は、自生若しくは生育された植物、漢方生薬原料等として販売されるものを用いた抽出物、市販されている抽出物等が挙げられる。
抽出操作は、植物部位の全草を用いるほか、植物体、地上部、根茎部、木幹部、葉部、茎部、花、花蕾、果実等の部位を使用することできるが、予めこれらを粉砕あるいは細切して抽出効率を向上させることが好ましい。抽出溶媒としては、水、エタノール、イソプロピルアルコール、ブタノールなどのアルコール類、１，３−ブタンジオール、ポリプロピレングリコールなどの多価アルコール類、アセトン、メチルエチルケトンなどのケトン類、ジエチルエーテル、テトラヒドロフランなどのエーテル類等の極性溶媒から選択される一種又は二種以上が好適なものとして例示することができる。具体的な抽出方法としては、例えば、植物体等の抽出に用いる部位又はその乾燥物１質量部に対して、溶媒を１〜３０質量部加え、室温であれば数日間、沸点付近の温度であれば数時間浸漬し、室温まで冷却した後、所望により不溶物及び／又は溶媒除去し、カラムクロマトグラフィー等で分画精製する方法が挙げられる。
【００１６】
本発明のスクリーニング方法における手順の一例を以下に挙げるが、本発明の趣旨を逸脱しない限り以下の内容に限定されるものではなく、適宜変更して実施することができる。
まず、皮下脂肪細胞に被験物質を添加し、２４〜４８時間インキュベーションする。その後、該細胞からｍＲＮＡを抽出し、ケメリンをコードする遺伝子の発現量を、該遺伝子を特異的に検出するプライマーを用いてＲＴ−ＰＣＲを行い、定量的に測定する。コントロールとして被験物質を添加しなかった皮下脂肪細胞においても該遺伝子の発現量を測定する。被験物質を添加した細胞における該遺伝子の発現量が、被験物質を添加しなかった細胞における該遺伝子の発現量（コントロール）に対して小さい場合、前記被験物質は皮膚老化改善作用を有すると判定する。該判定された物質は、皮膚老化改善用の組成物に好適に含有し得る皮膚老化改善剤となり得る。
なお、発現量の変動の程度としては、コントロールに対して８０％以下が好ましく、６５％以下がより好ましく、５０％以下がさらに好ましい。
【００１７】
スクリーニングにより選択された被験物質が皮膚老化改善作用を有することは、例えば、該物質を含有する組成物を適用した被験者の自覚による評価、画像解析によるシワやタルミの評価、皮膚の粘弾物性の評価、皮膚の水分保持量の評価など、周知の方法によって
確認することができる。
【００１８】
本発明のスクリーニング方法により皮膚老化症状を改善する作用を有すると判定された物質（皮膚老化改善剤）は、任意の調製方法により組成物に含有させることができる。すなわち、本発明のスクリーニング方法は、組成物の設計に好適に用いることができる。かかる組成物としては、例えば飲食品組成物や、皮膚外用組成物等を好適に挙げられ、またこれらは皮膚老化改善用途や抗老化用途に好ましく適用できる。
本発明のスクリーニングにより皮膚老化症状を改善する作用を有すると判定された物質（皮膚老化改善剤）は、皮下脂肪細胞が分泌するケメリンに起因する皮膚老化の発生をターゲットとする新たな機序で皮膚老化症状を改善する点で、新たなアプローチによる有効な抗老化用組成物の配合成分となり得る。
【００１９】
本発明のスクリーニングにより皮膚老化症状を改善する作用を有すると判定された物質（皮膚老化改善剤）を組成物に含有させる場合、その含有量（配合量）は、通常、０．００００１質量％以上、好ましくは０．０００１質量％以上、より好ましくは０．００１質量％以上であり、通常１５質量％以下、好ましくは１０質量％以下、より好ましくは５質量％以下である。皮膚老化改善剤の含有量（配合量）が少なすぎると所望の効果が得られにくい場合があり、多すぎると効果が頭打ちになるばかりか組成物の処方の自由度を損なう場合があるからである。また、組成物に含有させる皮膚老化改善剤の種類は、１種類のみでなく２種類以上であってもよい。
また、該組成物には、本発明のスクリーニングにより皮膚老化症状を改善する作用を有すると判定された物質以外の皮膚老化改善用成分もともに配合してもよい。
【００２０】
本発明に係る皮膚老化改善剤を皮膚外用組成物に含有させる場合、その製造に際しては、化粧料、医薬部外品、医薬品などの製剤化で通常使用される成分を任意に配合することができる。
かかる任意成分としては例えば、スクワラン、ワセリン、マイクロクリスタリンワックスなどの炭化水素類、ホホバ油、カルナウバワックス、オレイン酸オクチルドデシルなどのエステル類、オリーブ油、牛脂、椰子油などのトリグリセライド類、ステアリン酸、オレイン酸、レチノイン酸などの脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、増粘・ゲル化剤、酸化防止剤、紫外線吸収剤、色剤、防腐剤、粉体等を任意に配合することができる。
該皮膚外用組成物は、常法に従って前述の成分を処理・配合することにより製造することができる。また、その形態は、例えば、ローション剤型、乳化剤型、オイル剤型など任意の剤型とすることができる。
【００２１】
本発明に係る皮膚老化改善剤を飲食品に含有させる場合、その製造に際しては、食品製造において通常使用される成分を任意に配合することができる。
かかる任意成分としては例えば、タンパク質、炭水化物、脂肪、栄養素、調味料及び香味料等を用いることができる。炭水化物としては、単糖類、例えば、ブドウ糖、果糖など；二糖類、例えば、マルトース、スクロース、オリゴ糖など；及び多糖類、例えば、デキストリン、シクロデキストリンなどのような通常の糖及び、キシリトール、ソルビトール、エリトリトールなどの糖アルコールが挙げられる。香味料としては、天然香味料（タウマチン、ステビア抽出物等）及び合成香味料（サッカリン、アスパルテーム等）を使用す
ることができる。その他に、前述の医薬組成物で用いられる添加物であって通常食品にも添加されるものを同様に用いてもよい。
【００２２】
飲食品の形態としては、液状、ペースト状、固体、粉末、顆粒等の形態を問わない。また、錠菓、流動食、飼料等も飲食品の態様に含まれる。
【００２３】
また、他に一般の飲食品に含有させる態様であってもよく、例えば、パン、マカロニ、スパゲッティ、めん類、ケーキミックス、から揚げ粉、パン粉の小麦粉製品；、即席めん、カップめん、レトルト・調理食品、調理缶詰め、電子レンジ食品、即席スープ・シチュー、即席みそ汁・吸い物、スープ缶詰め、フリーズ・ドライ食品等の即席食品；農産缶詰め、果実缶詰め、ジャム・マーマレード類、漬物、煮豆類、農産乾物類、シリアル（穀物加工品）等の農産加工品；水産缶詰め、魚肉ハム・ソーセージ、水産練り製品、水産珍味類、つくだ煮類等の水産加工品；畜産缶詰め・ペースト類、畜肉ハム・ソーセージ等の畜産加工品；加工乳、乳飲料、ヨーグルト類、乳酸菌飲料類、チーズ、アイスクリーム類、調製粉乳類、クリーム、その他の乳製品等の乳・乳製品；バター、マーガリン類、植物油等の油脂類；しょうゆ、みそ、ソース類、トマト加工調味料、みりん類、食酢類等の基礎調味料；調理ミックス、カレーの素類、たれ類、ドレッシング類、めんつゆ類、スパイス類、その他の複合調味料等の複合調味料・食品類；素材冷凍食品、半調理冷凍食品、調理済冷凍食品等の冷凍食品；キャラメル、キャンディー、チューインガム、チョコレート、クッキー、ビスケット、ケーキ、パイ、スナック、クラッカー、和菓子、米菓子、豆菓子、デザート菓子等の菓子類；炭酸飲料、天然果汁、果汁飲料、果汁入り清涼飲料、果肉飲料、果粒入り果実飲料、野菜系飲料、豆乳、豆乳飲料、コーヒー飲料、お茶飲料、粉末飲料、濃縮飲料、スポーツ飲料、栄養飲料、アルコール飲料等の飲料類；これら以外の食品等に、本発明に係る皮膚老化改善剤を添加してもよい。
【００２４】
本発明に係る皮膚老化改善剤を含有する食品組成物の態様としては、通常の食品、飲料、機能性表示食品、特定保健用食品等の保健機能食品、サプリメント等が挙げられ、特に機能性表示食品が好ましい。
本発明に係る食品組成物を皮膚老化改善用途や抗老化用途とする場合、製品化の際にその有する有用性や機能性に関する表示を付してもよい。
かかる「表示」行為には、需要者に対して前記用途を知らしめるための全ての行為が含まれ、「皮膚老化の改善用」「抗老化用」といった用途を想起・類推させうるような表現であれば、表示の目的、表示の内容、表示する対象物・媒体等の如何に拘わらず、全て本発明の「表示」行為に該当する。
また、「表示」は、需要者が上記用途を直接的に認識できるような表現により行われることが好ましい。具体的には、飲食品に係る商品又は商品の包装、容器等に前記用途を記載したものを譲渡し、引き渡し、譲渡若しくは引き渡しのために展示し、輸入する行為、商品に関する広告、価格表、カタログ、パンフレット、ＰＯＰ等の販売現場における宣伝材等、若しくは取引書類に上記用途を記載して展示し、若しくは頒布し、又はこれらを内容とする情報に上記用途を記載して電磁気的（インターネット等）方法により提供する行為等が挙げられる。なお、本発明の食品組成物が保健機能食品等の行政が定める各種制度に基づいて認可を受けその認可のもとで実施される場合は、該認可に基づく態様で表示することが好ましい。
【００２５】
本発明に係る皮膚老化改善剤を含有する食品組成物の好ましい摂取量は、成人が摂取する場合、該皮膚老化改善剤の固形物換算で１日当たり０．００１〜１０００ｍｇ／ｋｇとすることが、十分に効果が発揮される観点から好ましく、更に０．０１〜１００ｍｇ／ｋｇ、特に０．１〜１０ｍｇ／ｋｇとすることが好ましい。この１日分の量を一度に又は数回に分けて摂取することができる。また、単回摂取する他に、連続的に又は断続的に数週間〜数か月の間摂取することが好ましい。
【実施例】
【００２６】
以下、本発明を実施例により更に詳細に説明するが、本発明は、その要旨を超えない限り、以下の実施例に限定されるものではない。
【００２７】
＜参考例１＞線維芽細胞におけるバーシカン産生に対するケメリンの影響の確認
DMEM培地（SIGMA社製）を用いて正常ヒト真皮線維芽細胞を２４ウェルプレートに２．
０×１０４ｃｅｌｌｓ／ウェル播種し、３７℃・５％ＣＯ２環境下で２日間培養した。培養後、培地を除去し、PBSにて細胞を洗浄後、ケメリン（Ｒ＆Ｄ ＳＹＳＴＥＭＳ製）（PBS溶液、１．５μＬ／ｍＬ培地、終濃度７．５ｎＭ）又は溶媒対照（PBS、１．５μＬ／ｍＬ培地）を含む、DMEM培地を加え、３７℃・５％ＣＯ２環境下にて、２４時間培養した。
RNeasy Mini Kit（QIAGEN製）を用いて上記線維芽細胞のｍＲＮＡを抽出し、Superscript VILO DNA synthesis Kit（Lifetechnologies製）を用いてｃＤＮＡを合成後、プライ
マー（QT00064064、ＱＩＡＧＥＮ製）を用いてバーシカンのｍＲＮＡ発現量をリアルタイムｑＰＣＲ法にて測定した。また、内在性コントロール遺伝子であるＡＣＴＢのｍＲＮＡ発現量を同様に測定した。測定には、QuantiFact SYBR GREEN PCR kit（QIAGEN製）を用
いた。
ケメリン添加群及び溶媒対照群におけるバーシカンｍＲＮＡ発現量について、ＡＣＴＢの発現量による補正を行い、溶媒対照群の発現量を１とした場合の、ケメリン添加群の相対発現量を算出した。結果を図１に示す。
【００２８】
＜参考例２＞皮下腱細胞におけるＲＣ構成タンパク質産生に対するケメリンの影響の確認
Tenocyte Culture Medium（Dsファーマバイオメディカル社製）を用いて正常ヒト腱細
胞を２４ウェルプレートに２．０×１０４ｃｅｌｌｓ／ウェル播種し、３７℃・５％ＣＯ２環境下で１日間培養した。培養後、培地を除去し、ＰＢＳにて細胞を洗浄後、ケメリン（Ｒ＆Ｄ ＳＹＳＴＥＭＳ製）（PBS溶液、１．５μＬ／ｍＬ培地、終濃度７．５ｎＭ）又は溶媒対照（PBS、１．５μＬ／ｍＬ培地）を含む培地を加え、３７℃・５％ＣＯ２環境
下にて、４８時間培養した。
RNeasy Mini Kit（QIAGEN製）を用いて上記腱細胞のｍＲＮＡを抽出し、Superscript VILO DNA synthesis Kit（Lifetechnologies製）を用いてｃＤＮＡを合成後、プライマー
（QT00000483、ＱＩＡＧＥＮ製）を用いてミメカンのｍＲＮＡ発現量をリアルタイムｑＰＣＲ法にて測定した。また、内在性コントロール遺伝子であるＡＣＴＢのｍＲＮＡ発現量を同様に測定した。測定には、QuantiFact SYBR GREEN PCR kit（QIAGEN製）を用いた。
ケメリン添加群及び溶媒対照群におけるミメカンｍＲＮＡ発現量について、ＡＣＴＢの発現量による補正を行い、溶媒対照群の発現量を１とした場合の、ケメリン添加群の相対発現量を算出した。結果を図２に示す。
【００２９】
＜参考例３＞表皮角化細胞におけるヒアルロン酸合成酵素産生に対するケメリンの影響の確認
Humedia-KG2培地（クラボウ製）を用いて培養ヒト成人表皮角化細胞（ＮＨＥＫ、クラ
ボウ製）を２４ウェルプレートに７．０×１０４ｃｅｌｌｓ／ウェル播種し、３７℃・５％ＣＯ２環境下で１日間培養した。培養後、培地を除去し、ＰＢＳにて細胞を洗浄後、ケメリン（Ｒ＆Ｄ ＳＹＳＴＥＭＳ製）（PBS溶液、１．５μＬ／ｍＬ培地、終濃度７．５ｎＭ）又は溶媒対照（PBS、１．５μＬ／ｍＬ培地）を含む培地を加え、３７℃・５％ＣＯ
２環境下にて、４８時間培養した。
RNeasy Mini Kit（QIAGEN製）を用いて上記角化細胞のｍＲＮＡを抽出し、Superscript
VILO DNA synthesis Kit（Lifetechnologies製）を用いてｃＤＮＡを合成後、プライマ
ー（QT00014903、ＱＩＡＧＥＮ製）を用いてＨＡＳ３のｍＲＮＡ発現量をリアルタイムｑＰＣＲ法にて測定した。また、内在性コントロール遺伝子であるＡＣＴＢのｍＲＮＡ発現量を同様に測定した。測定には、QuantiFact SYBR GREEN PCR kit（ＱＩＡＧＥＮ製）を
用いた。
ケメリン添加群及び溶媒対照群におけるＨＡＳ３ｍＲＮＡ発現量について、ＡＣＴＢの発現量による補正を行い、溶媒対照群の発現量を１とした場合の、ケメリン添加群の相対発現量を算出した。結果を図３に示す。
【００３０】
＜実施例１＞皮膚老化改善剤のスクリーニング
以下の手順で、ケメリンの遺伝子発現を指標に、皮膚老化改善剤のスクリーニングを行った。
増殖培地（CELL社製）を用い、正常ヒト皮下脂肪細胞を２４ウェルプレートに１．０×１０５ｃｅｌｌｓ／ウェルで播種し、３７℃・５％ＣＯ２環境下で２日間培養した。培養後、培地を除去し、ＰＢＳにて細胞を洗浄後、分化培地（CELL社製）に交換し、３７℃・５％ＣＯ２環境下にて、１０日間培養した。培養後、培地を除去し、ＰＢＳにて細胞を洗浄後、クルミポリフェノールエキス（Ｒ＆Ｄ ＳＹＳＴＥＭＳ製）１０μｇ／ｍＬ（終濃
度）又は溶媒対照（ＰＢＳ、１．５μＬ／ｍＬ培地）を含む維持培地を加え、３７℃・５％ＣＯ２環境下にて、４８時間培養した。培養後、培地を除去し、ＰＢＳにて細胞を洗浄後、QIAzol Lysis Reagent（ＱＩＡＧＥＮ社製）を用いて上記正常ヒト皮下脂肪細胞のｍＲＮＡを抽出し、Superscript VILO DNA synthesis Kit（Lifetechnologies社製）を用いてｃＤＮＡを合成後、プライマー（QT00091945、ＱＩＡＧＥＮ製）を用いてケメリンのｍＲＮＡ発現量をリアルタイムｑＰＣＲ法にて測定した。また、内在性コントロール遺伝子であるＡＣＴＢのｍＲＮＡ発現量を同様に測定した。測定には、QuantiFact SYBR GREEN PCR kit（ＱＩＡＧＥＮ社製）を用いた。エキス添加群及び溶媒対照群におけるケメリン
ｍＲＮＡ発現量について、ＡＣＴＢの発現量による補正を行い、溶媒対照群の発現量を１とした場合の、エキス添加群の相対発現量を算出した。結果を図４に示す。
【産業上の利用可能性】
【００３１】
本発明のスクリーニング方法により、皮膚老化改善剤として有効な成分を探索することができる。かかる皮膚老化改善剤は、皮膚老化改善用途の飲食品や皮膚外用剤に好適に含有させることができるため、産業上非常に有用である。
【図１】
2020003352.tif 000003
【図２】
2020003352.tif 000004
【図３】
2020003352.tif 000005
【図４】
2020003352.tif 000006